(57)【要約】【課題】ピッキング容器および輸送容器として使用可能な折り畳み容器を提供する。【解決手段】対向する一対の短辺枠材２１および長辺枠材２２からなる上枠体２と、方形状の収容部３１およびその周縁に一体に形成された周縁部３２からなる底板３と、上枠体２の短辺枠材２１に回動自在に連結された一対の短側板４と、上部長側板５１および下部長側板５２が折り畳み自在に連結され、上枠体２の長辺枠材２２に上部長側板５１が回動自在に連結されるとともに、底板３の長辺側周縁部に下部長側板５２が回動自在に連結された一対の長側板５と、から折り畳み容器１を構成し、一方の長側板５に開口部５ａを形成し、底板３の収容部３１の長辺側端縁部および各短側板４の左右端縁部に係合部３ｘ，４ｘを形成する。そして、長側板５の内面に沿って差し込んだ側板６を底板３の係合部３ｘおよび短側板４の係合部４ｘによって立設状態に保持する。【選択図】  図１
2006076597.tif 000002
【特許請求の範囲】
【請求項１】
対向する一対の短辺枠材および長辺枠材からなる上枠体と、方形状の収容部およびその周縁に一体に形成された周縁部からなる底板と、上枠体の各短辺枠材の下端部に各上端部がそれぞれ回動自在に連結された一対の短側板と、それぞれ上部長側板の下端部および下部長側板の上端部が折り畳み自在に連結され、上枠体の各長辺枠材の下端部に各上部長側板の上端部がそれぞれ回動自在に連結されるとともに、底板の各長辺側周縁部に各下部長側板の下端部がそれぞれ回動自在に連結された一対の長側板と、から構成された折り畳み容器において、一方の長側板に開口部が形成され、また、底板の収容部表面の各長辺側端縁部および各短側板内面の左右各端縁部のうち、少なくとも一方の長側板に面する側の端縁部にそれぞれ係合部が形成されてなり、一方の長側板の内面に沿って差し込まれた側板が底板の係合部および短側板の係合部によって立設状態に保持されることを特徴とする折り畳み容器。
【請求項２】
前記側板は、短側板の回動操作に干渉することなく底板の収容部表面に載置可能であることを特徴とする請求項１記載の折り畳み容器。
【請求項３】
前記上枠体の各長辺枠材の上端部に蓋体が回動自在に連結されていることを特徴とする請求項１または２記載の折り畳み容器。
【請求項４】
前記蓋体の内面に、長側板の内面に沿って差し込まれた側板の上端部を係止可能な係止部が形成されていることを特徴とする請求項３記載の折り畳み容器。
【発明の詳細な説明】
【技術分野】
【０００１】
この発明は、合成樹脂製の折り畳み容器に関するものである。
【背景技術】
【０００２】
従来より、物品を輸送する場合、物品を容器に収納し、容器をトラックなどに積載して目的地まで輸送する一方、物品の輸送が終了して空になった容器を再びトラックなどに積載して回収するようにしている。
【０００３】
この場合、空の容器をそのまま回収すると、輸送効率が低下することから、返送時には折り畳んで容積を減少できる容器が考案されている。
【０００４】
このような容器１００は、図１２および図１３に示すように、対向する一対の短辺枠材１０１および長辺枠材１０２からなる上枠体１０３と、方形状の底板１０４と、一対の短側板１０５と、上部長側板１０６の下端部および下部長側板１０７の上端部が折り畳み自在に連結された一対の長側板１０８と、から構成され、上枠体１０３の各短辺枠材１０１の下端部に各短側板１０５の上端部がそれぞれ回動自在に連結され、また、上枠体１０３の各長辺枠材１０２の下端部に各長側板１０８における上部長側板１０６の上端部がそれぞれ回動自在に連結される一方、底板１０６の各長辺側端縁部に各長側板１０８における下部長側板１０７の下端部がそれぞれ回動自在に連結されて形成されている（例えば、特許文献１参照）。
【０００５】
そして、対向する一対の短側板１０５の外面側下部を内方に押し込んで上枠体１０３に対してそれぞれ跳ね上げた後、対向する一対の長側板１０８の、上部長側板１０６および下部長側板１０７の連結部を内方に押し込むことにより、上枠体１０３と底板１０４との間に各長側板１０８をそれぞれ二つ折り状態に折曲して収納することができる。この際、短側板１０５は、上枠体１０３の内方において、二つ折りされた長側板１０８の上に積み重ねられる。
【０００６】
また、折り畳み状態から上枠体１０３を持ち上げ、二つ折りされた上部長側板１０６および下部長側板１０７を伸展させて各長側板１０８を底板１０４に対して垂直状態に立ち上げた後、各短側板１０５をそれぞれ上枠体１０３に対して押し下げることにより、底板１０４に対して垂直状態に立ち上げ、容器１００を組み立てることができる。
【０００７】
このような構造の容器においては、容器を組み立てて物品を収容し、積み重ねた状態で保管する場合、収納された物品を取り出し、あるいは、収容するためには、積み重ねた容器をいちいち下ろして作業しなければならず、作業効率が低下するという問題がある。このため、容器の一側面に開口部を形成するとともに、該一側面に開口部を開閉する扉を取り付けた折り畳み容器が提案されている（例えば、特許文献２，３参照）。また、容器の一側面に開口部を形成した折り畳み容器も市販されている。
【特許文献１】実開昭５８−１１９５２５号公報
【特許文献２】特公平５−２５７４３号公報
【特許文献３】実開平７−８２２０号公報
【発明の開示】
【発明が解決しようとする課題】
【０００８】
ところで、前述した特許文献２，３に示した折り畳み容器にあっては、容器を積み重ねた状態であっても、扉を開放することにより、開口部を通して収容された物品を取り出す
ことができ、所謂ピッキング容器として使用することができるものの、特許文献１に示した一般的な折り畳み容器に比較して構造が複雑になるとともに、部品点数が増加するため、コストがかさみ、高価となる問題がある。また、輸送容器として使用する際において、収容した物品の数量が少ない場合や、物品の性状が柔軟な場合、輸送途中で外部から短側板に衝撃などが作用すると、短側板が跳ね上がり、積み重ねた容器の荷崩れが発生するおそれがある。さらに、短側板を外方から押し込むと短側板を跳ね上げることができ、物品が盗難されるおそれもある。
【０００９】
一方、容器の一側面に扉を付設することなく開口部を形成したのみの折り畳み容器にあっては、ピッキング容器として使用することはできるものの、開口部を開放したままでは、輸送容器として使用することはできない。
【００１０】
本発明は、このような問題点に鑑みてなされたもので、構造が簡単で安価に製造することができるとともに、ピッキング容器としても輸送容器としても使用することができる折り畳み容器を提供するものである。
【課題を解決するための手段】
【００１１】
本発明は、対向する一対の短辺枠材および長辺枠材からなる上枠体と、方形状の収容部およびその周縁に一体に形成された周縁部からなる底板と、上枠体の各短辺枠材の下端部に各上端部がそれぞれ回動自在に連結された一対の短側板と、それぞれ上部長側板の下端部および下部長側板の上端部が折り畳み自在に連結され、上枠体の各長辺枠材の下端部に各上部長側板の上端部がそれぞれ回動自在に連結されるとともに、底板の各長辺側周縁部に各下部長側板の下端部がそれぞれ回動自在に連結された一対の長側板と、から構成された折り畳み容器において、一方の長側板に開口部が形成され、また、底板の収容部表面の各長辺側端縁部および各短側板内面の左右各端縁部のうち、少なくとも一方の長側板に面する側の端縁部にそれぞれ係合部が形成されてなり、一方の長側板の内面に沿って差し込まれた側板が底板の係合部および短側板の係合部によって立設状態に保持されることを特徴とするものである。
【００１２】
本発明によれば、対向する一対の短側板の外面側下部を内方に押し込み、上枠体に対して各短側板を跳ね上げた後、対向する一対の長側板における上部長側板および下部長側板の連結部を内方に押し込むことにより、上枠体と底板との間に各長側板を二つ折り状態に折曲して収納することができる。この際、短側板は、上枠体の内方において、二つ折りされた長側板の上に積み重ねられる。したがって、空の容器を回収する場合は、容器を折り畳んで容積を小さくして輸送することができ、輸送効率を向上させることができる。
【００１３】
一方、折り畳み状態から上枠体を持ち上げ、二つ折りされた上部長側板および下部長側板を伸展させて底板に対して各長側板を垂直状態に立ち上げるとともに、各短側板を上枠体に対して押し下げ、底板に対して垂直状態に立ち上げることにより、容器を組み立てることができる。ここで、側板を一方の長側板の内面に沿って差し込むことにより、側板の左右各端縁および下端縁が短側板の係合部および底板の係合部に係合し、側板を立設状態に保持することができるとともに、一方の長側板に形成された開口部を閉鎖することができる。したがって、組み立てた容器に物品を収容した後、容器を積み重ねて保管し、あるいは、輸送することができる。この場合、側板の左右各端面は、短側板の内面と当接しており、短側板の意図しない跳ね上がりを規制することができ、輸送時あるいは積み卸し時における容器の荷崩れを防止できる。
【００１４】
容器が目的地に到着すれば、一方の長側板から側板を引き上げて取り出すことにより、一方の長側板の開口部を開放することができる。したがって、容器を積み重ねた状態であっても、開口部を通して物品を取り出すことができる。また、輸送容器からピッキング容
器への物品の移し替えも不要となる。
【００１５】
なお、係合部を、一方の長側板に面する側の、底板の収容部表面の長辺側端縁部および各短側板内面の左右一方の端縁部に形成するとともに、他方の長側板に面する側の、底板の収容部表面の長辺側端縁部および各短側板内面の左右他方の端縁部に合わせて形成してもよい。このように、他方の長側板に面する側の、底板の収容部表面の長辺側端縁部および各短側板内面の左右他方の端縁部にも係合部を形成すると、一方の長側板から引き上げた側板を他方の長側板に沿って差し込んで、その左右各端縁および下端縁を短側板の係合部および底板の係合部に係合させ、他方の側板に沿って立設状態に保持することが可能となる。したがって、一方の長側板から引き上げた側板を紛失しないように保管することができる。この場合も、側板の左右各端面が短側板の内面と当接することから、短側板の意図しない跳ね上がりを規制して、容器を積み重ねた際の荷崩れを防止できる。
【００１６】
本発明の係合部としては、側板の左右各端縁および下端縁が係合可能な係合突起であってもよい他、側板の左右各端縁および／または下端縁が嵌合可能な係合溝であってもよく、また、係合突起と係合溝を併用してもかまわない。また、係合突起または係合溝は、連続して形成してもよく、間欠的に形成してもよい。
【００１７】
本発明において、前記側板は、短側板の回動操作に干渉することなく底板の収容部表面に載置可能であると、容器を折り畳んで回収する際、底板に側板を載置することができ、容器とは別に側板を保管して輸送する必要がなく、また、容器と一対一に対応付けて保管することができ、紛失のおそれもない。
【００１８】
本発明において、前記上枠体の各長辺枠材の上端部に蓋体が回動自在に連結されていると、蓋体によって容器の上方開口部を閉鎖することが可能となり、輸送容器として使用することができる。そして、例えば、蓋体を短側板に対して封緘して輸送すれば、密閉容器となることから、物品の盗難を防止できる。この場合、蓋体としては、観音開き方式であっても、片開き方式であってもかまわない。
【００１９】
本発明において、前記蓋体の内面に、長側板の内面に沿って差し込まれた側板の上端部を係止可能な係止部が形成されていると、蓋体によって上方開口部を閉鎖した状態で物品を輸送する際、長側板の内面に沿って立設された側板の上端部を蓋体の係止部によって係止することができ、底板の係合部および短側板の係合部と相まって輸送時における側板のガタツキを確実に抑えることができる。
【発明の効果】
【００２０】
本発明によれば、構造が簡単で安価に製造することができるとともに、ピッキング容器としても輸送容器としても使用することができる。
【発明を実施するための最良の形態】
【００２１】
以下、本発明の実施の形態を図面に基づいて説明する。
【００２２】
図１には、本発明の折り畳み容器１の一実施形態が示されている。
【００２３】
この折り畳み容器１は、対向する一対の短辺枠材２１および長辺枠材２２からなる上枠体２と、方形状の収容部３１およびその周縁に一体に形成された周縁部３２からなる底板３と、一対の短側板４と、それぞれ上部長側板５１の下端部および下部長側板５２の上端部が折り畳み自在に連結された一対の長側板５と、側板６と、から構成され、上枠体２の各短辺枠材２１の下端部に各短側板４の上端部がそれぞれ回動自在に連結され、また、上枠体２の各長辺枠材２２の下端部に各長側板５における上部長側板５１の上端部がそれぞ
れ回動自在に連結される一方、底板３の各長辺側周縁部に各長側板５における下部長側板５２の下端部がそれぞれ回動自在に連結されて形成されている。
【００２４】
なお、一方の長側板５には、その周縁部を残して上部長側板５１および下部長側板５２にわたる開口部５ａが形成されている。
【００２５】
上枠体２の各短辺枠材２１の下端部には、設定間隔をおいて複数個のヒンジブラケット２１ａが設けられており、これらのヒンジブラケット２１ａに、後述する短側板４の上端部に形成された複数個のヒンジ用切欠部４ａがそれぞれ嵌合されている。そして、各短辺枠材２１に対して各短側板４が、ヒンジブラケット２１ａに形成された嵌合部（図示せず）およびヒンジ用切欠部４ａに設けられたヒンジピン４ｂ（図３参照）を介してそれぞれ回動自在に連結されている。
【００２６】
また、上枠体２の各長辺枠材２２の下端部には、設定間隔をおいて複数個のヒンジ用切欠部２２ａが形成されており、これらのヒンジ用切欠部２２ａに、後述する長側板５における上部長側板５１の上端部に設けられた複数個のヒンジブラケット５１ａがそれぞれ嵌合されている。そして、各長辺枠材２２に対して各長側板５の上部長側板５１が、ヒンジ用切欠部２２ａおよびヒンジブラケット５１ａの図示しないヒンジピンおよびピン孔を介してそれぞれ回動自在に連結されている。
【００２７】
底板３は、図２に示すように、物品を収容する収容部３１および該収容部３１の周縁に一体に形成され、短側板４および長側板５をそれぞれ支持する周縁部３２からなり、周縁部３２の表面は、収容部３１の表面よりも側板６の厚みを若干越える高さだけ上方に位置して形成されている。そして、底板３における収容部３１の表面には、各長辺側端縁近傍に位置して、係合部としての複数個の係合突起３ｘが設定間隔をおいて形成されている。
【００２８】
また、底板３における周縁部３２のうち、短辺側周縁部の外周縁には、長辺側周縁部の上面に連続する高さの立上片３２１が形成されており、短側板４の下部外面と当接するように設定されている。
【００２９】
一方、底板３における周縁部３２のうち、長辺側周縁部には、設定間隔をおいて複数個のヒンジ用切欠部３２ａが形成されており、これらのヒンジ用切欠部３２ａに、長側板５における下部長側板５２の下端部に設けられた複数個のヒンジブラケット５２ａがそれぞれ嵌合されている。そして、底板３に対して各長側板５の下部長側板５２が、ヒンジ用切欠部３２ａおよびヒンジブラケット５２ａの図示しないヒンジピンおよびピン孔を介してそれぞれ回動自在に連結されている。
【００３０】
ここで、上枠体２の短辺枠材２１に対して短側板４をそれぞれ回動させ、その外面側下端部を立上片３２１に当接させるとともに、下端面を底板３の短辺側周縁部に支持した際、短側板４の内面が底板３の収容部３１の短辺側周縁の垂直面上に位置するように設定されている。また、上枠体２の長辺枠材２２に対して上部長側板５１を回動させるとともに、底板３における周縁部３２の長辺側周縁部に対して下部長側板５２を回動させ、上部長側板５１および下部長側板５２を伸展させて長側板５を底板３の長辺側周縁部に支持した際、長側板５の内面が底板３の収容部３１の長辺側周縁の垂直面上に位置するように設定されている。
【００３１】
短側板４は、略浅い箱状に形成され、その上端部には、上枠体２の短辺枠材２１に形成されたヒンジブラケット２１ａに対応して複数個のヒンジ用切欠部４ａが形成され、該ヒンジ用切欠部４ａには、ヒンジピン４ｂが設けられている。そして、短側板４の内面側左右各端縁近傍には、図３に示すように、それぞれ係合部としての係合突起４ｘが上端近傍
から下端近傍にかけて連続して形成されている他、その外面側左右各端縁には、後述する長側板５の被嵌合リブ５ｂの厚みに相当する間隔をおいてそれぞれ嵌合リブ４ｃが外方に突出して形成されている。
【００３２】
長側板５は、上部長側板５１の下端部および下部長側板５２の上端部が折り畳み自在に連結されて構成され、上部長側板５１の上端部には、上枠体２の長辺枠材２２に形成されたヒンジ用切欠部２２ａに対応して複数個のヒンジブラケット５１ａが形成され、また、下部長側板５２の下端部には、底板３の長辺側周縁部に形成されたヒンジ用切欠部３２ａに対応して複数個のヒンジブラケット５２ａが形成されている。さらに、長側板５における上部長側板５１の内面側左右各端縁および下部長側板５２の内面側左右各端縁には、内方に向かって突出する断面Ｌ字状の被嵌合リブ５ｂ（図４参照）が形成されている。そして、長側板５を垂直状態に立設して、短側板４を回動した際、図４に示すように、長側板５の被嵌合リブ５ｂに短側板４の嵌合リブ４ｃが嵌合するように設定されている。
【００３３】
また、側板６は、対向する一対の短側板４の内面間隔に略相当する幅と、ほぼ底板３の収容部３１の表面から上枠体２の上面までの間隔に略相当する高さと、底板３の収容部３１の周縁から突起部３ｘの外縁までの間隔に略相当する厚みを有してほぼ方形状に形成され、その上端部近傍には、把手用孔６ａが形成されている（図１参照）。そして、側板６は、一方の長側板５の内面に沿う位置と、他方の長側板５の内面に沿う位置と、底板３の収容部３１の表面に載置する位置とに選択的に配置することができ、側板６を一方の長側板５の内面に沿って配置した際には、一方の長側板５の開口部５ａを閉鎖することができる。
【００３４】
次に、このように構成された折り畳み容器１の使用方法を説明する。
【００３５】
まず、図１に示した容器１の組み立て状態において、側板６を底板３の収容部３１の表面に載置した後（図１の一点鎖線状態）、対向する一対の短側板４の外面側下部を内方に向けて押し込み、上枠体２に対して各短側板４をそれぞれ跳ね上げる。この際、短側板４の下端面は、底板３の収容部３１の表面に載置された側板６の表面よりも若干上方に位置しているため、側板６に干渉することなく短側板４を回動させることができる。
【００３６】
短側板４を内方に跳ね上げた後、長側板５を構成する上部長側板５１および下部長側板５２の連結部を内方に向けて押し込めば、上枠体２と底板３との間において、各長側板５の上部長側板５１および下部長側板５２がそれぞれく字状に折曲して二つ折りされる。すなわち、上枠体２の長辺枠材２２に対して上部長側板５１が内方に回動するとともに、底板３の長辺側周縁部に対して下部長側板５２が内方に回動し、底板３の収容部３１に載置された側板６の上に二つ折りされた上部長側板５１および下部長側板５２が積み重ねられて収納され、さらに、底板３の周縁部３２に上枠体２が積み重ねられることから、図５に示すように、小さな容積に折り畳むことができる。この際、上枠体２によって区画された内方において、二つ折りされた長側板５の上に短側板４がそれぞれ積み重ねられる。
【００３７】
一方、折り畳み容器１を使用する場合は、図５に示す折り畳み状態から、上枠体２を把握して上方に持ち上げれば、上枠体２に連結された長側板５の上部長側板５１が追従して引き上げられる。そして、上部長側板５１に連結された下部長側板５２も上部長側板５１に対して回動角度を徐々に大きくなるように伸展し、追従して引き上げられる。この際、短側板４を支えていた長側板５が伸展するため、短側板４は自重で下方に回動する。この後、各短側板４の下部内面側を外方に向けて押圧すれば、その下端面が底板３の短辺側周縁部に乗り上げるとともに、外面側下端部が立上片３２１に当接することから、その内面が垂直面を形成するように立設することができる。そして、短側板４が回動にすることにより、その左右側端面が長側板５の内面を支持して長側板５が屈曲することを規制すると
ともに、長側板５の上部長側板５１の左右各端縁および下部長側板５２の左右各端縁にそれぞれ形成された被嵌合リブ５ｂに短側板４の嵌合リブ４ｃが嵌合し、上枠体２に対する短側板４の跳ね上がりを、底板３の短辺側周縁部に対する短側板４の下端面の嵌合による摩擦抵抗とともに、長側板５の被嵌合リブ５ｂに対する短側板４の嵌合リブ４ｃの嵌合による摩擦抵抗によって防止することができる。
【００３８】
容器１が組み立てられたならば、一方の長側板５の内面に沿って側板６を差し込めば、その左右各端縁および下端縁が短側板４の係合突起４ｘおよび底板３の係合突起３ｘに係合することから、側板６は、倒れが規制されて立設状態に保持される。したがって、一方の長側板５の開口部５ａを側板６によって閉鎖することができる。
【００３９】
したがって、容器１の上方開口部を通して内部に物品を収容することができ、物品を収容した容器１を積み重ねて保管し、あるいは、輸送することができる（図６参照）。この際、側板６の左右各端面は、短側板４の内面に当接しており、短側板４の跳ね上がりを規制することができることから、短側板４の意図しない跳ね上げによって積み重ねた容器１の荷崩れを確実に防止することができる。
【００４０】
一方、物品を目的地まで輸送した後、側板６を引き上げれば、一方の長側板５の開口部５ａを開放することができることから、その後、容器１を積み重ねた状態で、開放された開口部５ａを通して物品を取り出すことができる（図７参照）。この場合、一方の長側板５に沿って引き上げた側板６については、他方の長側板５の内面に沿って同様に差し込むことにより、底板３の係合突起３ｘおよび短側板４の係合突起４ｘによって立設状態に保持することができることから、側板６の紛失を防止することができる。また、側板６の左右各端面が短側板４の内面に当接して、短側板４の跳ね上がりを規制できることから、短側板４の意図しない跳ね上げによって積み重ねた容器１が荷崩れするのを確実に防止することができる。
【００４１】
なお、物品の取り出しが終了して容器１を回収する場合は、前述したように、側板６を底板３の収容部３１の表面に載置した後、一対の短側板４の外面側下部を内方に向けて押し込んで上枠体２に対して各短側板４をそれぞれ跳ね上げ、次いで、長側板５を構成する上部長側板５１および下部長側板５２の連結部を内方に向けて押し込めば、上枠体２と底板３との間において、各長側板５の上部長側板５１および下部長側板５２がそれぞれく字状に折曲して二つ折りされ、側板６の上に積み重ねられるとともに、その上に短側板４がそれぞれ積み重ねられ、さらに、底板３の周縁部３２に上枠体２が積み重ねられて折り畳むことができる（図５参照）。
【００４２】
したがって、空の容器１を回収する場合は、容積を小さくして輸送することができ、輸送効率を向上させることができる。
【００４３】
ところで、図８および図９には、本発明の折り畳み容器１の他の実施形態が記載されている。
【００４４】
この折り畳み容器１は、先に説明した折り畳み容器１にその上方開口部を開閉可能な蓋体７をさらに設けて構成されている。
【００４５】
すなわち、容器１を構成する上枠体２における各長辺枠材２２の上端部には、それぞれ複数個のヒンジブラケット２２ｂが形成されており、このヒンジブラケット２２ｂのピン孔（図示せず）に対してそれぞれ蓋体７がヒンジピン７ａを介して回動自在に連結されている。
【００４６】
なお、蓋体７の内面には、底板３の係合突起３ｘおよび短側板４の係合突起４ｘによって長側板５の内面に沿って立設状態に保持された側板６の上端部を係止可能な係止部としての係止片７ｘが形成されており、蓋体７を回動して容器１の上方開口部を閉鎖した際、側板６の上端部を係止片７ｘによって係止することができ、容器１の輸送時において、側板６のガタツキを確実に防止することができる。
【００４７】
また、上枠体２における各短辺枠材２１の上端部には、それぞれ複数個のスタック用突起２１ｂが形成されており、前述した各長辺枠材２２の上端部に形成されたヒンジブラケット２２ｂと合わせて、容器１を積み重ねた際の容器１の脱落を防止することができるものである。具体的には、底板３の外面には、各短辺枠材２１のスタック用突起２１ｂおよび各長辺枠材２２のヒンジブラケット２２ｂの内面によって区画される方形に対応する外周面を有するリブ３ａ（図９参照）が垂設されており、容器１を上下に積み重ねた際、底板３のリブ３ａの外面に、各短辺枠材２１のスタック用突起２１ｂおよび各長辺枠材２２のヒンジブラケット２２ｂの内面がそれぞれ位置するとともに、その上面に上方の容器１の底板３の外面側周縁部が載置されるように設定されている。
【００４８】
したがって、一方の長側板５の開口部５ａを側板６によって閉鎖する一方、物品を内部に収容した後、容器１の上方開口部を蓋体７によって閉鎖した状態で、積み重ねて目的地に向けて輸送し、あるいは、保管することができる（図１０参照）。この場合、詳細には図示しないが、蓋体７を上枠体２に対して封緘することにより、短側板４の跳ね上げが側板６によって規制されることと相まって、開口部が存在せず、物品の盗難を回避することができ、防犯上好ましい。
【００４９】
また、物品を目的地まで輸送した後、側板６を引き上げれば、一方の長側板５の開口部５ａを開放することができ、開放された開口部５ａを通して物品を取り出すことができる（図１１参照）。この際、側板６は、他方の長側板５の内面に沿って差し込んで、保持すればよい。
【００５０】
なお、詳細には図示しないが、空容器１を回収する場合は、折り畳んで輸送する点は同様である。
【産業上の利用可能性】
【００５１】
以上のように本発明によれば、容器を組み立てて物品を収容し、積み重ねた状態で保管や輸送を行うことができるとともに、開口部を通して物品を取り出すことができることから、折り畳み容器を多目的に活用することが可能となる。しかも、簡単な構成を付加するのみでよく、折り畳み容器を安価に提供することができる。
【図面の簡単な説明】
【００５２】
【図１】本発明の折り畳み容器の一実施形態を示す斜視図である。
【図２】図１の容器の底板を一部省略して示す平面図、そのＡ−Ａ線断面図およびＢ−Ｂ線断面図である。
【図３】図１の容器の短側板を一部省略して示す正面図およびそのＣ−Ｃ線断面図である。
【図４】図１の容器を一部省略して示す横断面図である。
【図５】図１の容器を折り畳んだ状態を説明する斜視図である。
【図６】図１の容器を輸送容器として使用する状態を説明する斜視図である。
【図７】図１の容器をピッキング容器として使用する状態を説明する斜視図である。
【図８】本発明の折り畳み容器の他の実施形態を示す斜視図である。
【図９】図８のＤ−Ｄ線断面図である。
【図１０】図８の折り畳み容器を輸送容器として使用する状態を説明する斜視図である。
【図１１】図８の折り畳み容器をピッキング容器として使用する状態を説明する斜視図である。
【図１２】従来の折り畳み容器を示す斜視図である。
【図１３】従来の折り畳み容器における短側板と底板との係合状態を示す斜視図である。
【符号の説明】
【００５３】
１  折り畳み容器
２  上枠体
２１  短辺枠材
２２  長辺枠材
３  底板
３１  収容部
３２  周縁部
３ｘ  係合突起（係合部）
４  短側板
４ｘ  係合突起（係合部）
５  長側板
５１  上部長側板
５２  下部長側板
６  側板
７  蓋体
【図１】
2006076597.tif 000003
【図２】
2006076597.tif 000004
【図３】
2006076597.tif 000005
【図４】
2006076597.tif 000006
【図５】
2006076597.tif 000007
【図６】
2006076597.tif 000008
【図７】
2006076597.tif 000009
【図８】
2006076597.tif 000010
【図９】
2006076597.tif 000011
【図１０】
2006076597.tif 000012
【図１１】
2006076597.tif 000013
【図１２】
2006076597.tif 000014
【図１３】
2006076597.tif 000015